(57)【要約】【課題】シート上の状態の判定精度の向上を図ることができる乗員検知装置を提供する。【解決手段】乗員検知装置２０は、シート１に設置される荷重センサ１０（１０ａ，１０ｂ）の検出結果と、ドア８に設置されるタッチセンサ１１の検出結果とに基づき、シート１上に乗員が着座している乗員着座状態と、シート１上にチャイルドシートが装着されているチャイルドシート装着状態とを含むシート１上の状態を判定する判定部１３を備えるようにしている。【選択図】図１
2018122747.tif 000002
【特許請求の範囲】
【請求項１】
車両のシート上に乗員又はチャイルドシートが存在していることを検出するシート設置センサの検出結果と、前記乗員が着座した状態で操作可能な前記車両のドアを閉動作させる車室内からの前記乗員の操作を検出するドア設置センサの検出結果とに基づき、前記シート上に前記乗員が着座している乗員着座状態と、前記シート上に前記チャイルドシートが装着されているチャイルドシート装着状態とを含む前記シート上の状態を判定可能な判定部を備える乗員検知装置。
【請求項２】
前記判定部は、前記シート設置センサの検出結果に基づき、前記シート上に前記乗員又は前記チャイルドシートが存在していることを検出する場合、前記ドア設置センサの検出結果に基づき、前記乗員着座状態又は前記チャイルドシート装着状態を判定可能な請求項１に記載の乗員検知装置。
【請求項３】
前記判定部は、前記シート設置センサの検出結果に基づき、前記シート上に前記乗員又は前記チャイルドシートが存在していることを検出する場合、前記ドア設置センサの検出結果に基づき、前記乗員の操作を検出することを条件として前記乗員着座状態を判定可能であるとともに、前記乗員の操作を検出しないことを条件として前記チャイルドシート装着状態を判定可能な請求項２に記載の乗員検知装置。
【請求項４】
前記判定部は、
前記シート設置センサの検出結果に基づき、前記シート上に上記乗員又は前記チャイルドシートが存在していることを検出するとともに、前記ドア設置センサの検出結果に基づき、前記乗員の操作を検出しない場合、前記乗員の操作を促すための案内信号を案内機器に対して出力するように構成され、
前記案内信号の出力後において前記乗員の操作を検出することを条件として前記乗員着座状態を判定可能であるとともに、前記案内信号の出力後においても前記乗員の操作を検出しないことを条件として前記チャイルドシート装着状態を判定可能な請求項３に記載の乗員検知装置。
【請求項５】
前記案内信号の出力後の前記乗員の操作は、前記ドアを閉動作させる操作とは異なる操作である請求項４に記載の乗員検知装置。
【請求項６】
前記シート設置センサは、前記シートに設置されているとともに、前記ドア設置センサは、前記ドアが有するドアトリムに設けられるグリップハンドルに設置されている請求項５に記載の乗員検知装置。
【請求項７】
前記グリップハンドルは、前記シート上に前記チャイルドシートの背面の反対側である前方が前記車両の前方と一致するように装着される前記チャイルドシートに対して前方側に離間するとともに、前記シート上に前記チャイルドシートの背面側である後方が前記車両の前方と一致するように装着される前記チャイルドシートに対して背面側の位置に設けられている請求項６に記載の乗員検知装置。
【発明の詳細な説明】
【技術分野】
【０００１】
本発明は、乗員検知装置に関する。
【背景技術】
【０００２】
従来、車両の乗員検知装置には、例えば、特許文献１に記載のように、シートに設けられた荷重センサを用いてシートに作用する荷重を検出するものがある。
特許文献１に記載の乗員検知装置では、荷重センサにより検出する荷重値をパラメータとして、シート上の状態が、乗員なし状態、大人着座状態、チャイルドシート固縛状態の何れであるかを判定し、これら各状態に応じて車両のエアバッグの展開を禁止又は許容するようにしている。そして、各状態を判定するための構成として、乗員なし状態に対して大人着座状態であることを判定するための荷重値Ｌ１，Ｌ２が設定されているとともに、チャイルドシート固縛状態に対して大人着座状態であることを判定するための荷重値Ｌ３，Ｌ４が設定されている。
【先行技術文献】
【特許文献】
【０００３】
【特許文献１】特開２０１５−１１３０５４号公報
【発明の概要】
【発明が解決しようとする課題】
【０００４】
特許文献１に記載の乗員検知装置では、荷重値Ｌ１〜Ｌ４の他、乗員なし状態に対してチャイルドシート固縛状態であることを判定するための荷重値も設定されており、当該荷重値として、例えば、シートに装着されるとして想定されるチャイルドシートの荷重と、当該チャイルドシート上に着座する子供の荷重とに基づいた値が設定されると考えられる。ただし、想定よりも大きい荷重のチャイルドシートがシートに装着されてしまうと、チャイルドシート固縛状態であることの判定が困難になる場合がある等、判定精度の向上の観点で改善の余地がある。こうした課題は、シート上の状態を判定するために荷重センサを用いる乗員検知装置に限らず、感圧スイッチ部を有するメンブレンスイッチや静電容量式のセンサを用いる乗員検知装置においても同様に生じる。
【０００５】
本発明は、このような実情に鑑みてなされたものであり、その目的は、シート上の状態の判定精度の向上を図ることができる乗員検知装置を提供することにある。
【課題を解決するための手段】
【０００６】
上記課題を解決する乗員検知装置は、車両のシート上に乗員又はチャイルドシートが存在していることを検出するシート設置センサの検出結果と、前記乗員が着座した状態で操作可能な前記車両のドアを閉動作させる車室内からの前記乗員の操作を検出するドア設置センサの検出結果とに基づき、前記シート上に前記乗員が着座している乗員着座状態と、前記シート上に前記チャイルドシートが装着されているチャイルドシート装着状態とを含む前記シート上の状態を判定可能な判定部を備えている。
【０００７】
具体的には、上記乗員検知装置において、前記判定部は、前記シート設置センサの検出結果に基づき、前記シート上に前記乗員又は前記チャイルドシートが存在していることを検出する場合、前記ドア設置センサの検出結果に基づき、前記乗員着座状態又は前記チャイルドシート装着状態を判定可能であることが好ましい。
【０００８】
さらに具体的には、上記乗員検知装置において、前記判定部は、前記シート設置センサの検出結果に基づき、前記シート上に前記乗員又は前記チャイルドシートが存在していることを検出する場合、前記ドア設置センサの検出結果に基づき、前記乗員の操作を検出することを条件として前記乗員着座状態を判定可能であるとともに、前記乗員の操作を検出しないことを条件として前記チャイルドシート装着状態を判定可能であることが好ましい。
【０００９】
通常、ドアを開動作させた状態で、車両に乗り込んでシート上に着座した乗員は、車室内からドアを閉動作させる操作をする。つまり、ドアを閉動作させる車室内からの乗員の操作があった場合、車室内のシート上に乗員が着座している。一方、チャイルドシートを必要とする幼児は、チャイルドシートとともにシート上に着座したとしても、保護者等が車室外からドアを閉動作させることが多くであり、車室内からドアを閉動作させる操作をすることがほとんどない。
【００１０】
すなわち、上記のような構成によれば、シート設置センサの検出結果と、ドア設置センサの検出結果とを組み合わせて用いることによって、シート上の状態を、ドアを閉動作させる操作の状態と組み合わせて検出することができる。これにより、シート設置センサの検出結果によりシート上に乗員又はチャイルドシートが存在していることが少なくとも検出されれば、乗員の操作の検出結果に応じて乗員着座状態又はチャイルドシート装着状態が判定可能になる。つまり、シート設置センサの検出結果によっては、例えば、チャイルドシートの荷重がその種類によって大きく異なることに起因して、シート上に乗員及びチャイルドシートの何れが存在しているのか正確に検出できない場合であっても、乗員着座状態又はチャイルドシート装着状態が高い精度で判定可能になる。したがって、シート上の状態の判定精度の向上を図ることができる。
【００１１】
上記課題を解決する乗員検知装置は、前記判定部は、前記シート設置センサの検出結果に基づき、前記シート上に上記乗員又は前記チャイルドシートが存在していることを検出するとともに、前記ドア設置センサの検出結果に基づき、前記乗員の操作を検出しない場合、前記乗員の操作を促すための案内信号を案内機器に対して出力するように構成され、前記案内信号の出力後において前記乗員の操作を検出することを条件として前記乗員着座状態を判定可能であるとともに、前記案内信号の出力後においても前記乗員の操作を検出しないことを条件として前記チャイルドシート装着状態を判定可能に構成されていることが好ましい。
【００１２】
上記構成によれば、車両に乗り込んでシート上に着座した乗員が、車室内からドアを閉動作させる操作をしない、すなわち車室外から他の人にドアを閉動作させる場合であっても、シート上に着座した乗員に対しては、案内機器を通じて乗員の操作を促すことができる。この場合、案内機器を通じてシート上に着座した乗員が、乗員の操作をすることによって乗員着座状態が判定される。なお、シート上にチャイルドシートが装着されている場合、案内機器を通じて乗員の操作が検出されないためチャイルドシート装着状態が判定される。これにより、シート上に乗員が着座している場合に、車室外から他の人にドアを閉動作させることに起因して、チャイルドシート装着状態を判定してしまう割合を低減させることができる。
【００１３】
上記課題を解決する乗員検知装置は、前記案内信号の出力後の前記乗員の操作は、前記ドアを閉動作させる操作とは異なる操作であることが好ましい。
上記構成によれば、チャイルドシートを必要とする幼児が、案内信号の出力後に車室内からドアを閉動作させるのと同等の操作をする場合であっても、この同等の操作が案内信号の出力後の乗員の操作として定められる操作でない限りチャイルドシート装着状態が判定可能である。これにより、シート上にチャイルドシートが装着されている場合に、チャイルドシートを必要とする幼児が想定外の操作をすることに起因して、乗員着座状態を判定してしまう割合を低減させることができる。
【００１４】
上記課題を解決する乗員検知装置は、前記シート設置センサは、前記シートに設置されているとともに、前記ドア設置センサは、前記ドアが有するドアトリムに設けられるグリップハンドルに設置されていることが好ましい。
【００１５】
なお、車両のドアのドアトリムにグリップハンドルが設けられている場合、車室内からドアを閉動作させる操作は、グリップハンドルを握る等、少なくともグリップハンドルに自然に触れることである。
【００１６】
すなわち、上記構成によれば、乗員着座状態又はチャイルドシート装着状態を高い精度で判定可能にするために、乗員に違和感や負担を与えることを低減させることができる。
上記課題を解決する乗員検知装置は、前記グリップハンドルは、前記シート上に前記チャイルドシートの背面の反対側である前方が前記車両の前方と一致するように装着される前記チャイルドシートに対して前方側に離間するとともに、前記シート上に前記チャイルドシートの背面側である後方が前記車両の前方と一致するように装着される前記チャイルドシートに対して背面側の位置に設けられていることが好ましい。
【００１７】
上記構成によれば、チャイルドシートを必要とする幼児が、グリップハンドルを握る等、触れてしまう割合を低減させることができる。これにより、シート上にチャイルドシートが装着されている場合に、チャイルドシートを必要とする幼児が想定外の操作をすることに起因して、乗員着座状態を判定してしまう割合をより好適に低減させることができる。
【発明の効果】
【００１８】
本発明によれば、シート上の状態の判定精度の向上を図ることができる。
【図面の簡単な説明】
【００１９】
【図１】乗員検知装置の概略構成図。
【図２】（ａ）〜（ｃ）は、車両のドアのグリップハンドルが設けられる位置を、乗員又はチャイルドシートと関連付けて模式的に示す図。
【図３】同乗員検知装置についてのその判定部が荷重センサの荷重値に基づき判定する状態を模式的に示す図。
【図４】同判定部が実行する処理を示すフローチャート。
【図５】同判定部が実行する処理の結果、判定される状態を示す図。
【発明を実施するための形態】
【００２０】
以下、乗員検知装置の一実施形態について説明する。以下では、車両の前後方向を「前後方向」といい、車両の幅方向を「幅方向」といい、車両の上下方向を「上下方向」という。
【００２１】
図１に示すように、自動車などの車両のシート１は、シートクッション２と、このシートクッション２の後端部において傾動自在に設けられたシートバック３と、を備えている。
【００２２】
また、車両の床部４には、前後方向に延びる左右一対のロアレール５が設けられている。各ロアレール５には、これらの延伸方向に沿って延びる左右一対のアッパレール６が装着されている。各アッパレール６は、対応するロアレール５上を相対移動可能に構成されている。そして、シート１は、各ロアレール５と、各アッパレール６とが構成するシートスライド装置７の上方に支持される。
【００２３】
また、シート１の幅方向の外側（図１中奥側）には、車両のボデーの側面に設けられた開口８ａに対して開閉動作する車両のドア８が設けられている。なお、ドア８は、開口８ａの前方に設けられた図示しないヒンジによって車両のボデーに支持されている。
【００２４】
ドア８は、スイング式のドアであり、車室内側であるシート１側に配置されるドアトリム９を有している。ドアトリム９には、その前後方向に沿って延びる肘掛け９ａが設けられている。肘掛け９ａの前端部には、ドア８を開閉すべく操作されるグリップハンドル９ｂが設けられている。グリップハンドル９ｂは、ドアトリム９の上下方向に沿って延びている。幅方向について車室内から車室外（図１中手前側から奥側）を見た場合、グリップハンドル９ｂは、シート１のシートバック３に対して前方側に離間する位置に設けられている。
【００２５】
具体的には、図２（ａ）に示すように、グリップハンドル９ｂは、車両に乗り込んで乗員ＣＭがシート１上に着座する場合、当該乗員ＣＭが体全体を前方に乗り出したり腕を伸ばしたりすることによって手が届きうる位置に設けられている。ここでは、乗員ＣＭとして標準的な大人を図示したが、当該標準よりも小さい（軽い）大人や、チャイルドシート（ＣＲＳ）を必要としない子供の場合についても同様である。
【００２６】
これに対して、図２（ｂ）に示すように、グリップハンドル９ｂは、シート１上にチャイルドシート５０の背面５０ａの反対側である前方が車両の前方と一致するように前向装着されるチャイルドシート５０に対して前方側に離間する位置であって、チャイルドシートを必要する幼児が着座して腕を伸ばす等しても手が届き難い位置に設けられている。
【００２７】
また、図２（ｃ）に示すように、グリップハンドル９ｂは、シート１上にチャイルドシート５０の背面５０ａ側である後方が車両の前方と一致するように後向装着されるチャイルドシート５０に対して背面５０ａ側の位置であって、前向装着と同様、チャイルドシートを必要としない幼児が着座して腕を伸ばす等しても手が届き難い位置に設けられている。
【００２８】
ドア８を開動作させた状態で、車両に乗り込んでシート１上に着座した乗員は、グリップハンドル９ｂを握る等、少なくともグリップハンドル９ｂに触れることによって、車室内からドア８を閉動作させる操作をする。すなわち、本実施形態のようにドアトリム９にグリップハンドル９ｂが設けられている場合、シート１上に着座した乗員は、車室内からドア８を閉動作させる操作の際、グリップハンドル９ｂを握る等、少なくともグリップハンドル９ｂに自然に触れる。これは、シート１上に着座した乗員が車室内からドア８を開動作させる場合も同様である。
【００２９】
これに対して、シート１上にチャイルドシートが装着される場合には、保護者等が車室外からドア８を開閉動作させる。すなわち、本実施形態のようにドアトリム９にグリップハンドル９ｂが設けられていたとしても、シート１上にチャイルドシートが装着される場合には、車室内からドア８を開閉動作させる操作がされず、グリップハンドル９ｂが触れられることがほとんどない。これは、シート１上にチャイルドシートを必要とする幼児が当該チャイルドシートとともに着座するか否かに関係なく同様である。
【００３０】
図１に戻り、シート１、すなわちシートクッション２の下方には、シート１に作用する荷重を検出する複数（本実施形態では２つ）の荷重センサ１０（１０ａ，１０ｂ）が設けられている。荷重センサ１０（１０ａ，１０ｂ）は、各アッパレール６のうち、車両の幅方向の内側（図１中手前側であって、ドア８の反対側）のアッパレール６と、シートクッション２との間に設置されている。荷重センサ１０（１０ａ，１０ｂ）には、周知の歪みセンサが用いられている。なお、本実施形態において、荷重センサ１０（１０ａ，１０ｂ）はシート設置センサの一例である。
【００３１】
荷重センサ１０のうちシートクッション２の前方に設置される前荷重センサ１０ａは、シート１に作用する荷重として、当該シート１の前方に作用する前荷重を検出し、当該前荷重に応じた出力信号を出力する。また、前荷重センサ１０ａに対して離間するようにシートクッション２の後方に設置される後荷重センサ１０ｂは、シート１に作用する荷重として、当該シート１の後方に作用する後荷重を検出し、当該後荷重に応じた出力信号を出力する。荷重センサ１０（１０ａ，１０ｂ）の出力信号は、車両の車室内に搭載される制御装置１２に対して入力されるように構成されている。
【００３２】
また、ドア８、すなわちグリップハンドル９ｂには、乗員が触れたことを検出するタッチセンサ１１が設けられている。タッチセンサ１１は、グリップハンドル９ｂの表面や内部に設置されている。タッチセンサ１１には、静電容量式のセンサが用いられている。なお、本実施形態において、タッチセンサ１１はドア設置センサの一例である。
【００３３】
タッチセンサ１１は、グリップハンドル９ｂに乗員が触れた場合、車室内からの乗員の操作を示す出力信号を出力する。タッチセンサ１１の出力信号によっては、グリップハンドル９ｂに乗員が触れたとして、乗員がシート１上に着座した状態で操作可能であるドア８を閉動作させる車室内からの乗員の閉操作が検出されるとともに、当該閉操作とは異なる操作、例えば、グリップハンドル９ｂを３回等、複数回断続的に触れる操作である特別操作が検出される。タッチセンサ１１の出力信号は、荷重センサ１０（１０ａ，１０ｂ）の出力信号と同様、制御装置１２に対して入力されるように構成されている。
【００３４】
このように、荷重センサ１０（１０ａ，１０ｂ）により検出されるシート１に作用する荷重（前荷重及び後荷重）を示す値である荷重値Ｗ（Ｗａ，Ｗｂ）の検出結果と、タッチセンサ１１により検出される乗員の操作を示す操作入力信号Ｓの検出結果とに基づき、シート１上の状態を制御装置１２によって判定する乗員検知装置２０が構成されている。
【００３５】
そして、制御装置１２は、シート１上の状態を判定し、当該判定の結果に基づき、車両に搭載されるエアバッグ装置３０の作動状態として、作動可、すなわちオン（ＡＢ：ＯＮ）とするか、作動不可、すなわちオフ（ＡＢ：ＯＦＦ）とするかを指示する指示信号Ｓ＿ａｂを出力する。制御装置１２の指示信号Ｓ＿ａｂは、エアバッグ装置３０に対して入力されるように構成されている。
【００３６】
また、制御装置１２は、シート１上の状態を判定する過程で、車両に搭載される、例えば、インストルメントパネル等に設けられたウォーニングランプやスピーカー等の機器である案内機器４０を通じて、乗員の操作（本実施形態では、特別操作）を促すための報知を指示する案内信号Ｓ＿ｇａを出力する。制御装置１２の案内信号Ｓ＿ｇａは、案内機器４０に対して入力されるように構成されている。
【００３７】
本実施形態の制御装置１２は、図示しない中央処理装置（ＣＰＵ（Central Processing Unit））及びメモリをそれぞれ備えており、メモリに記憶されたプログラムをＣＰＵが実行することによって、シート１上の状態が判定されるとともに、エアバッグ装置３０への指示や案内機器４０への指示が制御される。
【００３８】
図１に示すように、制御装置１２は、上記ＣＰＵが実行することで実現される処理の一部として、シート１上の状態を判定する判定部１３を備えている。判定部１３は、制御装置１２において、荷重センサ１０の出力信号として検出される荷重値Ｗを取り込み、当該荷重値Ｗに基づき、まずシート１上の状態を大まかに４種類に分類するように判定する。この場合、荷重値Ｗは、前荷重センサ１０ａによる前荷重値Ｗａと、後荷重センサ１０ｂによる後荷重値Ｗｂとを加算して得られる値の半分の値、すなわち平均値である。
【００３９】
具体的には、図３に示すように、判定部１３には、荷重値Ｗを判定する指標として、荷重が小さい「荷重小」から大きい「荷重大」順に、複数（本実施形態では３種類）の閾値Ｗ０、閾値Ｗ１、閾値Ｗ２が予め設定されている。
【００４０】
判定部１３は、荷重値Ｗが閾値Ｗ０を超えていない領域ＮＺの場合、シート１上に乗員及びチャイルドシートが存在していないこととして、乗員・ＣＲＳ存在なしの状態を判定する。一方、判定部１３は、荷重値Ｗが閾値Ｗ０を超えている領域ＣＺ，ＧＺ，ＡＺの場合、シート１上に乗員又はチャイルドシートが存在している状態を判定する。閾値Ｗ０は、シート１上に乗員及びチャイルドシートが存在していないとして実験的に求められる範囲の値が設定されている。本実施形態において、チャイルドシートが存在していないとは、チャイルドシートのみに限らず、シート１上に載せられる荷物も存在していないことを含むものである。
【００４１】
さらに判定部１３は、シート１上に乗員又はチャイルドシートが存在している状態であって、荷重値Ｗが閾値Ｗ１以下の領域ＣＺの場合、シート１上にチャイルドシートが装着されているチャイルドシート装着状態（図３中「ＣＲＳ」）を判定する。閾値Ｗ１は、シート１上にチャイルドシートが装着されるとともに当該チャイルドシートに幼児が着座しているとして実験的に求められる範囲の値が設定されている。本実施形態において、チャイルドシートが存在しているとは、チャイルドシートのみに限らず、シート１上に荷物が載せられていることを含むものである。
【００４２】
また、判定部１３は、荷重値Ｗが閾値Ｗ２以上の領域ＡＺの場合、シート１上に大人の乗員が着座している乗員着座状態（図３中「大人」）を判定する。閾値Ｗ２は、シート１上に標準的な大人の乗員が着差しているとして実験的に求められる範囲の値が設定されている。
【００４３】
さらに判定部１３は、荷重値Ｗが閾値Ｗ１を超えている且つ閾値Ｗ２を超えていない領域ＧＺの場合、シート１上に乗員又はチャイルドシートが存在している何れの可能性もある状態、すなわち乗員着座状態又はチャイルドシート装着状態の何れの可能性もある状態（図３中「乗員／ＣＲＳ」）を判定する。これは、シート１上に乗員及びチャイルドシートの何れが存在しているのか正確に検出できない場合である。この場合の乗員としては、標準よりも小さい大人の乗員や、チャイルドシートを必要としない子供が想定される。
【００４４】
そして、判定部１３は、シート１上に乗員又はチャイルドシートが存在している何れの可能性もある状態を判定する場合、制御装置１２において、タッチセンサ１１の出力信号として検出される操作入力信号Ｓの検出結果を取り込み、当該乗員の操作の有無を判定することによって、シート１上の状態を判定する。これは、例えば、閾値Ｗ１を設定する際の想定よりも大きい荷重のチャイルドシートがシート１上に装着されることに起因して、チャイルドシートがシート１上に装着されて荷重値Ｗが閾値Ｗ１を超える場合であっても、チャイルドシート装着状態であることを精度よく判定するための構成である。以下、これについて説明する。
【００４５】
図４に、判定部１３の処理手順を示す。図４に示す処理は、制御装置１２のメモリに記憶されたプログラムをＣＰＵが所定周期で繰り返し実行することにより実現される。判定部１３は、荷重センサ１０の荷重値Ｗが閾値Ｗ０を超えている場合に以下の処理を実行する。なお、判定部１３は、荷重センサ１０の荷重値Ｗが閾値Ｗ０を超えていない場合、エアバッグ装置３０の作動状態として、オフ（ＡＢ：ＯＦＦ）とすることを指示する指示信号Ｓ＿ａｂを出力する。
【００４６】
図４に示す一連の処理において、判定部１３は、まず荷重センサ１０の荷重値Ｗが閾値Ｗ１を超えている（Ｗ＞Ｗ１）か否かを判定する（ステップＳ１０）。この処理は、荷重値Ｗが領域ＣＺであるか領域ＧＺ，ＡＺであるかを判定するためのものである。判定部１３は、荷重値Ｗが閾値Ｗ１を超えていない（Ｗ≦Ｗ１）と判定する場合（ステップＳ１０：ＮＯ）、荷重値Ｗが領域ＣＺであることから、シート１上の状態としてチャイルドシート装着状態（ＣＲＳ）を判定する（ステップＳ１１）。続いて、判定部１３は、エアバッグ装置３０の作動状態として、オフ（ＡＢ：ＯＦＦ）とすることを指示する指示信号Ｓ＿ａｂを出力し（ステップＳ１２）、図４に示す一連の処理を一旦終了する。このように、荷重値Ｗが領域ＣＺに分類される場合には、ステップＳ１１，Ｓ１２の処理を通じて、荷重センサ１０の検出結果に基づき、シート１上の状態がチャイルドシート装着状態と判定されてエアバッグ装置３０の作動状態が指示される。
【００４７】
一方、判定部１３は、荷重センサ１０の荷重値Ｗが閾値Ｗ１を超えていると判定する場合（ステップＳ１０：ＹＥＳ）、荷重値Ｗが閾値Ｗ２以上（Ｗ≧Ｗ２）であるか否かを判定する（ステップＳ１３）。この処理は、荷重値Ｗが領域ＧＺであるか領域ＡＺであるかを判定するためのものである。判定部１３は、荷重値Ｗが閾値Ｗ２以上と判定する場合（ステップＳ１３：ＹＥＳ）、荷重値Ｗが領域ＡＺであることから、シート１上の状態として大人の乗員着座状態を判定する（ステップＳ１４）。続いて、判定部１３は、エアバッグ装置３０の作動状態として、オン（ＡＢ：ＯＮ）とすることを指示する指示信号Ｓ＿ａｂを出力し（ステップＳ１５）、図４に示す一連の処理を一旦終了する。このように、荷重値Ｗが領域ＡＺに分類される場合には、ステップＳ１４，Ｓ１５の処理を通じて、荷重センサ１０の検出結果に基づき、シート１上の状態が乗員着座状態と判定されてエアバッグ装置３０の作動状態が指示される。
【００４８】
一方、判定部１３は、荷重センサ１０の荷重値Ｗが閾値Ｗ２を超えていない、すなわち荷重値Ｗが閾値Ｗ１を超えている且つ閾値Ｗ２を超えていない（Ｗ１＜Ｗ＜Ｗ２）と判定する場合（ステップＳ１３：ＮＯ）、荷重値Ｗが領域ＧＺであることから、タッチセンサ１１の操作入力信号Ｓを検出し、乗員の閉操作を検出するか否かを判定する（ステップＳ１６）。この処理は、操作入力信号Ｓに基づき、乗員の閉操作の有無を判定するためのものである。ステップＳ１６にて、判定部１３は、図４に示す一連の処理を開始してから所定時間（例えば、数秒程度）の間に乗員の閉操作を検出するか否かを判定する。
【００４９】
そして、判定部１３は、乗員の閉操作を検出し、当該閉操作の有りと判定する場合（ステップＳ１６：ＹＥＳ）、シート１上の状態としてシート１上に乗員、すなわち標準よりも小さい大人や、チャイルドシートを必要としない子供の乗員着座状態を判定する（ステップＳ１７）。続いて、判定部１３は、エアバッグ装置３０の作動状態として、オン（ＡＢ：ＯＮ）とすることを指示する指示信号Ｓ＿ａｂを出力し（ステップＳ１８）、図４に示す一連の処理を一旦終了する。
【００５０】
一方、判定部１３は、乗員の閉操作を検出しないで、当該閉操作の無しと判定する場合（ステップＳ１６：ＮＯ）、案内機器４０を通じて、乗員の特別操作を促すための報知を指示する案内信号Ｓ＿ｇａを出力する（ステップＳ１９）。この処理は、例えば、車室外から他の人にドア８を閉動作させたことによって、乗員の閉操作が無しであったが、シート１上に乗員、すなわち標準よりも小さい大人や、チャイルドシートを必要としない子供が着座していることを検出するためのものである。
【００５１】
案内信号Ｓ＿ｇａを出力した後、判定部１３は、タッチセンサ１１の操作入力信号Ｓを検出し、乗員の特別操作を検出するか否かを判定する（ステップＳ２０）。この処理は、操作入力信号Ｓに基づき、乗員の特別操作の有無を判定するためのものである。ステップＳ２０にて、判定部１３は、ステップＳ１９を通じて案内信号Ｓ＿ｇａを出力してから所定時間（例えば、数秒程度）の間に特別操作を検出するか否かを判定する。
【００５２】
そして、判定部１３は、乗員の特別操作を検出し、当該特別操作の有りと判定する場合（Ｓ２０：ＹＥＳ）、シート１上の状態としてシート１上に乗員、すなわち標準よりも小さい大人や、チャイルドシートを必要としない子供の乗員着座状態を判定する（ステップＳ２１）。続いて、判定部１３は、エアバッグ装置３０の作動状態として、オン（ＡＢ：ＯＮ）とすることを指示する指示信号Ｓ＿ａｂを出力し（ステップＳ２２）、図４に示す一連の処理を一旦終了する。
【００５３】
一方、判定部１３は、乗員の特別操作を検出しないで、当該特別操作の無しと判定する場合（Ｓ２０：ＮＯ）、シート１上の状態としてチャイルドシート装着状態（ＣＲＳ）を判定する（ステップＳ２３）。続いて、判定部１３は、エアバッグ装置３０の作動状態として、オフ（ＡＢ：ＯＦＦ）とすることを指示する指示信号Ｓ＿ａｂを出力し（ステップＳ２４）、図４に示す一連の処理を一旦終了する。
【００５４】
このように、荷重値Ｗが領域ＧＺに分類される場合には、ステップＳ１６〜Ｓ２４の処理を通じて、荷重センサ１０の検出結果と、タッチセンサ１１の検出結果とに基づき、シート１上の状態がチャイルドシート装着状態又は乗員着座状態と判定されてエアバッグ装置３０の作動状態が指示される。
【００５５】
以下、本実施形態の作用及び効果について説明する。
（１）通常、ドア８を開動作させた状態で、車両に乗り込んでシート１上に着座した乗員は、車室内からドア８を閉動作させる操作をする。つまり、ドア８を閉動作させる車室内からの乗員の操作があった場合、車室内のシート１上に乗員が着座している。一方、チャイルドシートを必要とする幼児は、チャイルドシートとともにシート１上に着座したとしても、保護者等が車室外からドア８を閉動作させることが多くであり、車室内からドア８を閉動作させる操作をすることがほとんどない。
【００５６】
すなわち、本実施形態によれば、荷重センサ１０の検出結果と、タッチセンサ１１の検出結果とを組み合わせて用いることによって、シート１上の状態を、ドア８を閉動作させる操作の状態と組み合わせて検出することができる。
【００５７】
具体的には、図５に示すように、荷重値Ｗが閾値Ｗ１以下の場合（Ｗ≦Ｗ１）には、乗員の操作の有無に関係なく、シート１上の状態としてチャイルドシート装着状態（ＣＲＳ）が判定される。この場合、本実施形態では、エアバッグ装置３０がオフ（ＡＢ：ＯＦＦ）される。
【００５８】
また、同図に示すように、荷重値Ｗが閾値Ｗ２以上の場合（Ｗ≧Ｗ２）には、乗員の操作の有無に関係なく、シート１上の状態として大人の乗員着座状態（大人）が判定される。この場合、本実施形態では、エアバッグ装置３０がオン（ＡＢ：ＯＮ）される。
【００５９】
また、同図に示すように、荷重値Ｗが閾値Ｗ１を超える且つ閾値Ｗ２を超えない場合（Ｗ１＜Ｗ＜Ｗ２）には、乗員の閉操作又は特別操作を検出することである乗員の操作の有りを条件として、シート１上の状態として大人又は子供の乗員着座状態（乗員）が判定される。この場合、本実施形態では、エアバッグ装置３０がオン（ＡＢ：ＯＮ）される。
【００６０】
一方、同図に示すように、荷重値Ｗが閾値Ｗ１を超える且つ閾値Ｗ２を超えない場合（Ｗ１＜Ｗ＜Ｗ２）には、乗員の閉操作及び特別操作の何れも検出しないことである乗員の操作の無しを条件として、シート１上の状態としてチャイルドシート装着状態（ＣＲＳ）が判定される。この場合、本実施形態では、エアバッグ装置３０がオフ（ＡＢ：ＯＦＦ）される。
【００６１】
これにより、荷重センサ１０の検出結果によりシート１上に乗員又はチャイルドシートが存在していることが少なくとも検出されれば、乗員の閉動作又は特別操作の検出結果に応じて乗員着座状態又はチャイルドシート装着状態が判定可能になる。つまり、荷重センサ１０の検出結果によっては、例えば、チャイルドシートの荷重がその種類によって大きく異なることに起因して、シート１上に乗員又はチャイルドシートが存在している何れの可能性もある状態であっても、チャイルドシートが装着される場合に乗員着座状態を判定してしまう割合を低減させることができ、シート１上の状態が高い精度で判定可能になる。したがって、シート１上の状態の判定精度の向上を図ることができる。
【００６２】
（２）本実施形態において、判定部１３は、荷重値Ｗが閾値Ｗ１を超える且つ閾値Ｗ２を超えない場合、乗員の閉操作を検出しなければ、ステップＳ１６の処理を通じて乗員の特別操作を検出するのに先立って案内信号Ｓ＿ｇａを案内機器４０に対して出力する。その後、判定部１３は、ステップＳ１６の処理を通じて乗員の特別操作を検出することを条件として、シート１上の状態として大人又は子供の乗員着座状態（乗員）を判定する。一方、判定部１３は、ステップＳ１６の処理を通じて乗員の特別操作を検出しないことを条件として、シート１上の状態としてチャイルドシート装着状態（ＣＲＳ）を判定する。
【００６３】
すなわち、本実施形態によれば、車両に乗り込んでシート１上に着座した乗員が、車室内からドア８を閉動作させる操作をしない、すなわち車室外から他の人にドア８を閉動作させる場合であっても、シート１上に着座した乗員に対しては、案内機器４０を通じて乗員の特別操作を促すことができる。この場合、案内機器４０を通じてシート１上に着座した乗員が、特別操作をすることによって乗員着座状態が判定可能である。なお、シート１上にチャイルドシートが装着されている場合、案内機器４０を通じて乗員の特別操作が検出されないためチャイルドシート装着状態が判定可能である。これにより、シート１上に乗員が着座している場合に、車室外から他の人にドア８を閉動作させることに起因して、チャイルドシート装着状態を判定してしまう割合を低減させることができる。
【００６４】
（３）本実施形態では、乗員の特別操作として、乗員の閉操作とは異なる操作を設定しているので、チャイルドシートを必要とする幼児が、案内信号Ｓ＿ｇａの出力後に車室内からドア８を閉動作させるのと同等の操作をする場合であっても、この同等の操作が特別操作でない限りチャイルドシート装着状態が判定可能である。これにより、シート１上にチャイルドシートが装着されている場合に、チャイルドシートを必要とする幼児が想定外の操作をすることに起因して、乗員着座状態を判定してしまう割合を低減させることができる。
【００６５】
（４）本実施形態のように、ドア８のドアトリム９にグリップハンドル９ｂが設けられている場合、車室内からドア８を閉動作させる操作は、グリップハンドル９ｂを握る等、少なくともグリップハンドル９ｂに自然に触れることである。これにより、乗員着座状態又はチャイルドシート装着状態を高い精度で判定可能にするために、乗員に違和感や負担を与えることを低減させることができる。
【００６６】
（５）図２（ｂ），（ｃ）に示すように、本実施形態において、グリップハンドル９ｂは、チャイルドシート５０の前向装着及び後向装着の何れでも幼児が着座して腕を伸ばす等しても手が届き難い位置に設けられている。
【００６７】
すなわち、本実施形態によれば、チャイルドシートを必要とする幼児が、グリップハンドル９ｂを握る等、触れてしまう割合を低減させることができる。これにより、シート１上にチャイルドシートが装着されている場合に、チャイルドシートを必要とする幼児が想定外の操作をすることに起因して、乗員着座状態を判定してしまう割合をより好適に低減させることができる。
【００６８】
なお、上記実施形態は、これを適宜変更した以下の形態にて実施することもできる。
・判定部１３は、車両において、シート１に付随するシートベルト装置の装着又は非装着のベルト状態の検出結果も加味して、シート１上の状態を判定するように構成してもよい。この場合、例えば、シートベルト装置のベルト状態が非装着であれば、乗員・ＣＲＳ存在なしの状態を判定し、シートベルト装置のベルト状態が装着であれば、シート１上に乗員又はチャイルドシートが存在している状態を判定することができる。また、チャイルドシート装着状態の場合、シートベルト装置のベルト状態が非装着であれば、荷物、シートベルト装置のベルト状態が装着であれば、チャイルドシートというように状態を判定することができる。
【００６９】
・荷重値Ｗによっては、少なくとも乗員又はＣＲＳが存在しているか否かを検出可能であればよく、閾値Ｗ０が少なくとも設定されていればよい。例えば、閾値Ｗ０のみが設定される場合、図４の処理は、ステップＳ１０〜Ｓ１５を削除し、ステップＳ１６の処理から実行するように構成されていればよい。また、閾値Ｗ０と、閾値Ｗ１とが設定される場合、図４の処理は、ステップＳ１３〜Ｓ１５を削除し、ステップＳ１０：ＹＥＳの場合にステップＳ１６を実行するように構成されていればよい。また、閾値Ｗ０と、閾値Ｗ２とが設定される場合、図４の処理は、ステップＳ１０〜Ｓ１２の処理を削除するように構成されていればよい。
【００７０】
・グリップハンドル９ｂは、チャイルドシートに着座した幼児が腕を伸ばす等しても手が届き難い位置に設けられていればよく、例えば、上下方向の高さ位置をチャイルドシートに対して高めや低めに設定する等、位置を変更してもよい。
【００７１】
・タッチセンサ１１は、ドア８に何処か、乗員が触れることができるように設置されていればよく、肘掛け９ａ及びグリップハンドル９ｂの全体に亘って設置されていてもよいし、肘掛け９ａにのみ設置されていてもよい。肘掛け９ａにのみ設置される場合、例えば、肘掛け９ａが乗員の手を掛けることを可能にする手掛け部を有していれば、グリップハンドル９ｂが設けられていなくてもよい。
【００７２】
・タッチセンサ１１は、乗員の閉操作を検出するためのセンサと、乗員の特別操作を検出するためのセンサとが個別に設定されていてもよい。これら各センサは、共にグリップハンドル９ｂに設置されていてもよいし、異なる部位に設置されていてもよい。
【００７３】
・乗員の特別操作は、乗員の閉操作と異なる操作が設定されていればよく、例えば、グリップハンドル９ｂに継続して触れる操作や、グリップハンドル９ｂをなぞるスライド操作等でもよい。
【００７４】
・乗員の特別操作は、乗員の閉操作と同一操作が設定されていてもよい。この場合であっても、図４の処理として、ステップＳ１９，Ｓ２０の処理を有していない場合と比べればシート１上の状態の判定精度は向上されている。
【００７５】
・上記実施形態では、案内機器４０による乗員の特別操作を促すための報知の機能、すなわち図４の処理のうちステップＳ１９の処理を削除してもよい。この場合であっても、図４の処理として、ステップＳ２０の処理を有していない場合と比べればシート１上の状態の判定精度は向上されている。
【００７６】
・案内信号Ｓ＿ｇａは、乗員の特別操作を促すための報知を案内機器４０に対して直接入力されるのではなく、他の制御装置を介して入力されるようにしてもよい。例えば、制御装置１２は、乗員の特別操作を促すための報知をシートベルト装置のベルト状態を報知するウォーニングランプと兼用して実行させる場合、当該ウォーニングランプの制御を担う制御装置に対して案内信号Ｓ＿ｇａを出力すればよい。
【００７７】
・案内機器４０は、他の報知と兼用して実行されるのではなく、専用の機器として設けられていてもよい。
・図４の処理は、ステップＳ１９，Ｓ２０の処理を削除し、ステップＳ１６：ＮＯの場合、ステップＳ２３，Ｓ２４の処理によってチャイルドシート装着状態を判定するようにしてもよい。この場合であっても、図４の処理として、ステップＳ１６の処理を有していない場合と比べれば判定制御は向上されている。
【００７８】
・荷重センサ１０は、各荷重センサ１０ａ，１０ｂの配置を変更してもよいし、各アッパレール６と、シートクッション２との間に設置される合計４つや１つのセンサで構成しもてよい。
【００７９】
・上記実施形態は、シート１上に乗員又はチャイルドシートが存在していることを検出可能であれば、荷重センサ１０（１０ａ，１０ｂ）の替わりに、感圧スイッチ部を有するメンブレンスイッチを用いたり、静電容量式のセンサを用いたりするものに適用してもよい。
【００８０】
・上記実施形態は、乗員の閉動作を検出可能であれば、静電容量式のタッチセンサ１１の替わりに、光センサを用いたり、感圧スイッチ部を有するメンブレンスイッチのような接触式のセンサを用いたりするものに適用してもよい。
【００８１】
・上記実施形態は、乗員の閉操作として、タッチセンサ１１が設置される部位をなぞるスライド操作等を設定するものに適用してもよい。
・上記実施形態は、車両の前席及び後席に関係なく適用することができる。
【００８２】
・上記実施形態において、荷重センサ１０（１０ａ，１０ｂ）や、タッチセンサ１１は、乗員検知装置２０の専用のセンサではなく、他の目的で設置されたセンサであってもよい。つまり、乗員検知装置２０では、所望の検出結果を得ることが可能で、他の目的で設置されたセンサの検出結果を少なくとも用いることが可能に構成されていればよい。この場合、例えば、荷重センサ１０（１０ａ，１０ｂ）や、タッチセンサ１１としては、乗員検知装置２０の目的にのみ用いられる専用のセンサである必要がなく、他の目的で用いられるセンサを流用することができ、汎用性を向上するのに効果的である。
【００８３】
・上記実施形態は、エアバッグ装置３０の動作状態の指示に限らず、シート１上の状態を判定して上記シートベルト装置のベルト状態の報知を指示するように構成したり、シート１上の状態を判定してドア８のチャイルドロックの機能の切り替えを指示するように構成したりもできる。
【００８４】
・各変形例は、互いに組み合わせて適用してもよく、例えば、上記シートベルト装置のベルト状態の報知を指示するように構成することと、その他の変形例の構成とは、互いに組み合わせて適用してもよい。
【符号の説明】
【００８５】
１…シート、８…ドア、９…ドアトリム、９ｂ…グリップハンドル、１０（１０ａ，１０ｂ）…荷重センサ（前荷重センサ、後荷重センサ）、１１…タッチセンサ、１２…制御装置、１３…判定部、２０…乗員検知装置、３０…エアバッグ装置、４０…案内機器、５０…チャイルドシート、ＣＭ…乗員、Ｓ…操作入力信号、Ｗ（Ｗａ，Ｗｂ）…荷重値（前荷重値、後荷重値）。
【図１】
2018122747.tif 000003
【図２】
2018122747.tif 000004
【図３】
2018122747.tif 000005
【図４】
2018122747.tif 000006
【図５】
2018122747.tif 000007